(57)【要約】【課題】側パネルが底パネル上に折り畳み可能で且つ段積み可能な搬送用ボックスパレットの段積み強度を高める。【解決手段】底パネル１が、左右両側辺に沿って配置された上側開放の左右一対の前後方向溝形材３ａ，３ｂと、両前後方向溝形材３ａ，３ｂを互いに連結する左右方向溝形材４ａ〜４ｄと、これら溝形材３ａ〜４ｄの上に敷設されたメッシュパネル材５とから成ると共に、前後方向溝形材３ａ，３ｂの前後両端近傍位置の下側には段積み用脚体６ａ〜７ｂが突設され、左右両サイドパネル２Ｂ，２Ｃの下辺には、底パネル１のメッシュパネル材５を貫通して前後方向溝形材３ａ，３ｂ内に嵌入する位置決め用突出片２１ａ，２１ｂが突設された段積み可能な搬送用ボックスパレットにおいて、前記位置決め用突出片２１ａ，２１ｂが各脚体６ａ〜７ｂの真上位置で前後方向溝形材３ａ，３ｂの底面に当接する構成。【選択図】図１
2005047576.tif 000002
【特許請求の範囲】
【請求項１】
矩形の底パネルの後側辺に当該底パネルの上に折り畳み可能なバックパネルが立設され、当該バックパネルの左右両側辺には、当該バックパネルに重ねるように折り畳み可能で且つ底パネルの左右両側辺に沿って配置される左右両サイドパネルが連結され、底パネルは、左右両側辺に沿って配置された上側開放の左右一対の前後方向溝形材と、両前後方向溝形材を互いに連結する左右方向部材と、これら溝形材及び部材の上に敷設されたメッシュパネル材とから成ると共に、前後方向溝形材の前後両端近傍位置の下側には段積み用脚体が突設され、左右両サイドパネルの下辺には、底パネルのメッシュパネル材を貫通して前後方向溝形材内に嵌入する位置決め用突出片が突設された段積み可能な搬送用ボックスパレットにおいて、前記位置決め用突出片が各脚体の上側真上位置で前後方向溝形材の底面に当接するように構成された、段積み可能な搬送用ボックスパレット。
【請求項２】
左右両サイドパネルの下辺には、前後の脚体の中間位置で底パネルのメッシュパネル材を貫通して前後方向溝形材内に嵌入する中間位置決め用突出片が設けられている、請求項１に記載の段積み可能な搬送用ボックスパレット。
【請求項３】
左右両サイドパネルは、縦線材と横線材とを格子状に配列してその両線材の交差部を固着したメッシュパネル材から構成され、各脚体の真上に位置する前後２つの位置決め用突出片をそれぞれ含む前後２つの領域内の縦線材は、残りの領域の縦線材の間隔より狭い間隔で配列するか又は、残りの領域の縦線材より太い線材で構成されている、請求項２又は３に記載の段積み可能な搬送用ボックスパレット。
【発明の詳細な説明】
【技術分野】
【０００１】
本発明は、側パネルが底パネル上に折り畳み可能で且つ段積み可能な搬送用ボックスパレットに関するものである。
【背景技術】
【０００２】
この種のボックスパレットとして、矩形の底パネルの後側辺に当該底パネルの上に折り畳み可能なバックパネルが立設され、当該バックパネルの左右両側辺には、当該バックパネルに重ねるように折り畳み可能で且つ底パネルの左右両側辺に沿って配置される左右両サイドパネルが連結され、底パネルは、左右両側辺に沿って配置された上側開放の左右一対の前後方向溝形材と、両前後方向溝形材を互いに連結する左右方向部材と、これら溝形材及び部材の上に敷設されたメッシュパネル材とから成ると共に、前後方向溝形材の前後両端近傍位置の下側には段積み用脚体が突設され、左右両サイドパネルの下辺には、底パネルのメッシュパネル材を貫通して前後方向溝形材内に嵌入する位置決め用突出片が突設された段積み可能な搬送用ボックスパレットが、特許文献１によって知られている。
【特許文献１】実開昭５５−１７０２９１号公報
【発明の開示】
【発明が解決しようとする課題】
【０００３】
上記特許文献１に開示された従来のボックスパレットの構成では、左右両サイドパネルの下辺の位置決め用突出片が、同一側にある前後の脚体の中間位置に突設されているため、仮に特許文献１に記載のように、位置決め用突出片を底パネルの前後方向溝形材の底面で支持できるように構成しても、段積み時に左右両サイドパネルの上辺に係合する上段パレットの脚体から受ける荷重が、当該上段パレットの脚体の真下領域にある左右両サイドパネルの構成部材（例えば縦線材）を経由して当該左右両サイドパネルの構成部材（例えば縦線材）を支持する領域にある底パネルのメッシュパネル材に作用することになり、前記荷重で底パネルのメッシュパネル材が変形する恐れがあり、前記左右両サイドパネルの下辺の位置決め用突出片を、上段パレット側からの荷重を底パネルの前後方向溝形材に直接伝達させる手段として活用することができなかった。
【課題を解決するための手段】
【０００４】
本発明は上記のような従来の問題点を解消し得る段積み可能な搬送用ボックスパレットを提供することを目的とするものであって、その手段を後述する実施形態の参照符号を付して示すと、矩形の底パネル１の後側辺に当該底パネル１の上に折り畳み可能なバックパネル２Ｄが立設され、当該バックパネル２Ｄの左右両側辺には、当該バックパネル２Ｄに重ねるように折り畳み可能で且つ底パネル１の左右両側辺に沿って配置される左右両サイドパネル２Ｂ，２Ｃが連結され、底パネル１は、左右両側辺に沿って配置された上側開放の左右一対の前後方向溝形材３ａ，３ｂと、両前後方向溝形材３ａ，３ｂを互いに連結する左右方向部材（溝形材４ａ〜４ｄ）と、これら溝形材３ａ，３ｂ及び部材（溝形材４ａ〜４ｄ）の上に敷設されたメッシュパネル材５とから成ると共に、前後方向溝形材３ａ，３ｂの前後両端近傍位置の下側には段積み用脚体６ａ〜７ｂが突設され、左右両サイドパネル２Ｂ，２Ｃの下辺には、底パネル１のメッシュパネル材５を貫通して前後方向溝形材３ａ，３ｂ内に嵌入する位置決め用突出片２１ａ，２１ｂが突設された段積み可能な搬送用ボックスパレットにおいて、前記位置決め用突出片２１ａ，２１ｂが各脚体６ａ〜７ｂの真上位置で前後方向溝形材３ａ，３ｂの底面に当接する構成となっている。
【０００５】
上記構成の本発明を実施するについて、請求項２に記載のように、左右両サイドパネル２Ｂ，２Ｃの下辺には、前後の脚体６ａ，６ｂ及び７ａ，７ｂの中間位置で底パネル１のメッシュパネル材５を貫通して前後方向溝形材３ａ，３ｂ内に嵌入する中間位置決め用突出片２１ｃを１つ又は複数設けることができる。
【０００６】
又、左右両サイドパネル２Ｂ，２Ｃが、縦線材１６と横線材１７とを格子状に配列してその両線材１６，１７の交差部を固着したメッシュパネル材１８から構成されている場合、請求項３に記載のように、各脚体６ａ〜７ｂの真上に位置する前後２つの位置決め用突出片２１ａ，２１ｂをそれぞれ含む前後２つの領域Ｘ１，Ｘ２内の縦線材１６は、残りの領域Ｘ３の縦線材１６の間隔より狭い間隔で配列するか又は、残りの領域Ｘ３の縦線材１６より太い線材で構成することができる。
【発明の効果】
【０００７】
上記構成の本発明に係る段積み可能な搬送用ボックスパレットによれば、脚体を利用してボックスパレットを段積みした場合、上段パレットの荷重が、当該上段パレットの各脚体の真下に上下方向に直列する部分、即ち、下段パレットの左右両サイドパネルの上段パレット脚体支持部分とその下端の各位置決め用突出片を経由して、下段パレット底パネルの前後方向溝形材の底面に伝達され、当該底パネルの前後方向溝形材の底面で受け止めさせることができる。従って、左右両サイドパネルの上段パレット脚体支持部分の下端から底パネルのメッシュパネル材で上段パレットの荷重を受け止めさせる場合のように、当該底パネルのメッシュパネル材を部分的に変形させてしまうことがなくなり、大荷重用のボックスパレットであっても安全に段積みさせることができ、耐久性も向上する。
【０００８】
尚、本発明の構成によれば、左右両サイドパネルの下辺から突設される前後一対の位置決め用突出片間の間隔が従来のものと比較して広がることになるが、請求項２に記載の構成によれば、底パネルのメッシュパネル材を貫通して前後方向溝形材内に嵌入する中間位置決め用突出片が存在することにより、左右両サイドパネルの巾方向中間部に作用する外力（収納する荷から作用する外向きの側圧、又はパレットの外側に当接する他物からの内向きの側圧）で当該左右両サイドパネルの巾方向中間部が内外方向に撓み変形するのを防止することができ、左右両サイドパネルの耐側圧強度を高めることができる。
【０００９】
又、請求項３に記載の構成によれば、段積み時に上段パレットの脚体からの荷重を左右両サイドパネルの下辺から突出する位置決め用突出片に伝えるサイドパネル部分、即ち、左右両サイドパネルの前後２つの上段パレット脚体支持部分の座屈強度が高められるので、段積み時の耐荷重性能を一層高めることができる。
【発明を実施するための最良の形態】
【００１０】
以下に本発明の好適実施例を添付図に基づいて説明すると、図１において、１は矩形の底パネルである。２Ａ〜２Ｄは底パネル１の周囲に配置されて底パネル１上に荷収納空間を形成する側パネルであり、以下、正面の側パネル２Ａを開閉自在なゲートパネル、左右両側の互いに平行な側パネル２Ｂ，２Ｃをサイドパネル、背面の側パネル２Ｄをバックパネルと称呼する。
【００１１】
底パネル１は、図１〜図５に示すように、左右両側辺に配置された上側開放の前後方向溝形材３ａ，３ｂ、両溝形材３ａ，３ｂの両端近傍位置と中間２箇所の長さ方向４箇所を互いに連結する上側開放の左右方向溝形材４ａ〜４ｄ、これら溝形材３ａ〜４ｄの上に載置固着された矩形のメッシュパネル材５、及び前後方向溝形材３ａ，３ｂとその両端近傍位置に配置された左右方向溝形材４ａ，４ｂとのＴ字状交差部の下側に固着された脚体６ａ，６ｂ，７ａ，７ｂから構成されている。矩形のメッシュパネル材５は、適当間隔おきに互いに平行に配列された前後方向線材８と適当間隔おきに互いに平行に配列された左右方向線材９とをその交差部で互いに固着したものである。各脚体６ａ〜７ｂは、床置き時に着床する接地部１０の外側で若干高い位置に、段積み時に下側パレットの左右両サイドパネル２Ｂ，２Ｃの上辺の前後両端近傍位置に嵌合する前後方向の凹溝部１１を備えている。
【００１２】
バックパネル２Ｄは、図２及び図３に示すように、適当間隔おきに互いに平行に配列された縦線材１２と適当間隔おきに互いに平行に配列された横線材１３とをその交差部で互いに固着して成る矩形のメッシュパネル材１４から構成され、その下端横線材１３ａと底パネル１のメッシュパネル材５における後端左右方向線材９ａとを螺旋状のヒンジコイル１５で結合することにより、底パネル１に対しヒンジコイル軸心１５ａ（図１Ａ参照）の周りに揺動自在に構成している。
【００１３】
左右両サイドパネル２Ｂ，２Ｃは、図１Ｂ、図２及び図４に示すように、適当間隔おきに互いに平行に配列された縦線材１６と適当間隔おきに互いに平行に配列された横線材１７とをその交差部で互いに固着して成る矩形のメッシュパネル材１８から構成され、その後端縦線材１６ａとバックパネル２Ｄの左右両端縦線材１２ａとを螺旋状のヒンジコイル１９，２０で結合することにより、バックパネル２Ｄに対しヒンジコイル軸心１９ａ，２０ａ（図１Ａ参照）の周りに揺動自在に構成している。又、この左右両サイドパネル２Ｂ，２Ｃの下側辺には、線材をＵ字形に曲げ加工した３つの位置決め用突出片２１ａ〜２１ｃが両端寄り２箇所と中間１箇所に下向きに固着突設され、更に左右両サイドパネル２Ｂ，２Ｃの前側辺には、線材をＵ字形に曲げ加工した４つのゲートパネル係止用突出片２２ａ〜２２ｄが前方向きに固着突設されている。
【００１４】
ゲートパネル２Ａは、図１Ａ及び図３に示すように、上側ゲート２３と、下端部が内側へ直角に折曲された下側ゲート２４とから成り、各ゲート２３，２４は、適当間隔おきに互いに平行に配列された縦線材２５，２６と適当間隔おきに互いに平行に配列された横線材２７，２８とをその交差部で互いに固着して成る矩形のメッシュパネル材２９，３０から構成され、上側ゲート２３の下端横線材２７ａと下側ゲート２４の上端横線材２８ａとを螺旋状のヒンジコイル３１で結合することにより、下側ゲート２４に対し上側ゲート２３をヒンジコイル軸心３１ａ（図１Ａ参照）の周りに揺動自在に構成し、下側ゲート２３の下端折曲部の先端横線材２８ｂと底パネル１のメッシュパネル材５における前端から内側に入った位置にある左右方向線材９ｂとを螺旋状のヒンジコイル３２で結合することにより、底パネル１に対し下側ゲート２３をヒンジコイル軸心３２ａ（図１Ａ参照）の周りに揺動自在に構成している。又、図１Ａに示すように、上側ゲート２３及び下側ゲート２４それぞれの左右両側辺上端近傍位置の表面側には、従来周知のゲートロック手段３５ａ，３５ｂ及び３６ａ，３６ｂが設けられている。
【００１５】
上記構成のボックスパレットは、使用に際して図１Ａに示すように組み立てられる。この組み立て方法を説明すると、バックパネル２Ｄに対して左右両サイドパネル２Ｂ，２Ｃをヒンジコイル軸心１９ａ，２０ａの周りに直角前方向きに回転させると共に、当該バックパネル２Ｄを底パネル１に対してヒンジコイル軸心１５ａの周りに回転させて起立させることにより、左右両サイドパネル２Ｂ，２Ｃの下側辺から下向きに突出するそれぞれ３つの位置決め用突出片２１ａ〜２１ｃを、底パネル１のメッシュパネル材５を貫通させて前後方向溝形材３ａ，３ｂに嵌合させ、左右両サイドパネル２Ｂ，２Ｃを底パネル１の左右両側辺に沿った位置に位置決めする。
【００１６】
このとき、前後両端の２つの位置決め用突出片２１ａ，２１ｂは、図１Ｂ及び図６に示すように、底パネル１の前後方向溝形材３ａ，３ｂの前後両端近傍下側に固着された前記脚体６ａ〜７ｂの真上位置において、当該前後方向溝形材３ａ，３ｂの底面に当接するように、位置決め用突出片２１ａ，２１ｂの位置及び下方への突出長さが設定されている。又、中間位置決め用突出片２１ｃも、前後２つの脚体６ａ，６ｂ間、及び脚体７ａ，７ｂ間の中間位置において前後方向溝形材３ａ，３ｂの底面に当接するように構成されているが、この中間位置決め用突出片２１ｃは、前後方向溝形材３ａ，３ｂ内には嵌入するが、その底面には当接しないように短く構成しても良い。
【００１７】
係る状態でゲートパネル２Ａの下側ゲート２４を底パネル１に対してヒンジコイル軸心３２ａの周りに回転させて起立させる。而して、左右両サイドパネル２Ｂ，２Ｃの前側辺から前方向きに突出する下側上下２段のゲートパネル係止用突出片２２ｃ，２２ｄがメッシュパネル材３０の左右両側辺の網目を貫通して前方に突出することになるので、上側のゲートパネル係止用突出片２２ｃを利用して下側ゲート２４の左右一対のゲートロック手段３６ａ，３６ｂにより下側ゲート２４を起立姿勢にロックする。更に、ゲートパネル２Ａの上側ゲート２３を下側ゲート２４に対してヒンジコイル軸心３１ａの周りに回転させて起立させる。而して、左右両サイドパネル２Ｂ，２Ｃの前側辺から前方向きに突出する上側上下２段のゲートパネル係止用突出片２２ａ，２２ｂがメッシュパネル材２９の左右両側辺の網目を貫通して前方に突出することになるので、上側のゲートパネル係止用突出片２２ａを利用して上側ゲート２３の左右一対のゲートロック手段３５ａ，３５ｂにより上側ゲート２３を起立姿勢にロックし、ゲートパネル２Ａで左右両サイドパネル２Ｂ，２Ｃの前側辺間を閉塞する。
【００１８】
上記のように組み立てられたボックスパレットは、周囲がパネル２Ａ〜２Ｄで囲まれた底パネル１上の荷収納空間内に荷を収納した状態で、搬送や保管に利用できるが、図１Ｂ及び図４にそれぞれ仮想線で示すように、上側パレットの各脚体６ａ〜７ｂを下側パレットの左右両サイドパネル２Ｂ，２Ｃの上側辺の前後両端近傍位置に、各脚体の凹溝部１１を利用して嵌合させることにより、段積みすることができる。この段積み状態では、上段パレットの荷重は、上段パレットの各脚体６ａ〜７ｂより下段パレットの左右両サイドパネル２Ｂ，２Ｃ、及び各位置決め用突出片２１ａ〜２１ｃを経由して下段パレットにおける底パネル１の前後方向溝形材３ａ，３ｂの底面に伝達され、当該前後方向溝形材３ａ，３ｂの底面で受け止められることになる。
【００１９】
即ち、段積みされた上段パレットの各脚体６ａ〜７ｂから下向きに作用する荷重は、図１Ｂに示すように、左右両サイドパネル２Ｂ，２Ｃの上段パレット脚体支持領域Ｘ１，Ｘ２とその下端の位置決め用突出片２１ａ，２１ｂとを介して下段パレットにおける底パネル１の前後方向溝形材３ａ，３ｂの底面に、上から下へ直線的に伝えられることになる。従って、図１Ｂ及び図２に示すように、左右両サイドパネル２Ｂ，２Ｃの上段パレット脚体支持領域Ｘ１，Ｘ２内にある縦線材１６の間隔を、残りの領域Ｘ３内にある縦線材１６の間隔より狭める、例えば半分の間隔にして、当該上段パレット脚体支持領域Ｘ１，Ｘ２内にある縦線材１６の本数を増大させることにより、上段パレットの脚体６ａ〜７ｂから受ける荷重により左右両サイドパネル２Ｂ，２Ｃが座屈変形する恐れを解消することができる。勿論、左右両サイドパネル２Ｂ，２Ｃの上段パレット脚体支持領域Ｘ１，Ｘ２内にある縦線材１６の線径を、残りの領域Ｘ３内にある縦線材１６の線径より太くしたり、当該上段パレット脚体支持領域Ｘ１，Ｘ２内の縦線材１６を、横線材１７を表裏両側から挟むように２本１組で配置するなどして、縦線材１６の間隔を変えないで同様の効果を得ることもできる。
【００２０】
収納された荷を出し入れする際は、上記の組み立て時と逆の手順でゲートパネル２Ａの上側ゲート２３のみ、又は下側ゲート２４を含むゲートパネル２Ａ全体を前方下側に開動させることにより、荷の出し入れをパレットの正面側から行うことができる。
【００２１】
空のボックスパレットは、上記の組み立て時と逆の手順で偏平状に折り畳むことができる。即ち、ゲートパネル２Ａが備える各ゲートロック手段３５ａ〜３６ｂによるゲートロック作用を解除し、ゲートパネル２Ａを一旦底パネル１に対して前方に開動倒伏させる。次に、バックパネル２Ｄを後方に開動させて、左右両サイドパネル２Ｂ，２Ｃの下側辺から突出する各位置決め用突出片２１ａ〜２１ｃを底パネル１から上方に離脱させると共に、左右各サイドパネル２Ｂ，２Ｃをバックパネル２Ｄに対して外側後方へ回転させて、当該バックパネル２Ｄの外側に交互に重ねる。このバックパネル２Ｄとその外側に交互に重ねられた左右両サイドパネル２Ｂ，２Ｃとを一体にして底パネル１の上に重ねるように、バックパネル２Ｄを前方下方に回転させる。そして最後にゲートパネル２Ａを底パネル１上に重ねるように回転させることにより、底パネル１上にバックパネル２Ｄ、左右各サイドパネル２Ｂ，２Ｃ、及びゲートパネル２Ａが層状に重なった折り畳み状態とすることができる。
【００２２】
上記実施形態で説明したボックスパレットのパネル構成は一例に過ぎず、これに限定されるものではない。例えば、側パネル（実施形態でのゲートパネル２Ａ、左右両サイドパネル２Ｂ，２Ｃ、及びバックパネル２Ｄ）が底パネル１の上に重ねるように折り畳み可能に構成されたものを示したが、基本的には、側パネルが折り畳みできないボックスパレットであっても良いし、側パネルが底パネルに対して着脱できるタイプのボックスパレットであっても良い。又、底パネル１の上に折り畳み可能な側パネル（実施形態でのゲートパネル２Ａ、左右両サイドパネル２Ｂ，２Ｃ、及びバックパネル２Ｄ）を備えたものであっても、その折り畳み方法は、上記実施形態のものに限定されない。
【００２３】
又、側パネルの一つとして設けられているゲートパネル２Ａはあってもなくても良いし、設けられる場合でも、その構成は、上記実施形態に示した上下２段形式のものに限定されず、1枚のパネルから成るものであっても良い。ゲートパネル２Ａが使用されない場合、左右両サイドパネル２Ｂ，２Ｃの前側辺間に棒状体などを着脱自在に架設することができる。
【図面の簡単な説明】
【００２４】
【図１】Ａ図はボックスパレット全体の斜視図であり、Ｂ図は片側のサイドパネルと底パネルとを示す側面図である。
【図２】片側のサイドパネル、バックパネル、及び底パネルを示す立面図である。
【図３】ゲートパネル、バックパネル、及び底パネルを示す側面図である。
【図４】左右両サイドパネルと底パネルとを示す正面図である。
【図５】底パネルを示す平面図である。
【図６】図４の要部拡大正面図である。
【符号の説明】
【００２５】
１    底パネル
２Ａ    ゲートパネル
２Ｂ，２Ｃ    サイドパネル
２Ｄ    バックパネル
３ａ，３ｂ    前後方向溝形材
４ａ〜４ｄ    左右方向溝形材
５，１４，２９，３０    メッシュパネル材
６ａ〜７ｂ    脚体
８    前後方向線材
９    左右方向線材
１２，１６，２５，２６    縦線材
１３，１７，２７，２８    横線材
１５，１９，２０，３１，３２    螺旋状のヒンジコイル
２１ａ〜２１ｃ    位置決め用突出片
２３    上側ゲート（ゲートパネル）
２４    下側ゲート（ゲートパネル）
３５ａ〜３６ｂ    ゲートロック手段
【図１】
2005047576.tif 000003
【図２】
2005047576.tif 000004
【図３】
2005047576.tif 000005
【図４】
2005047576.tif 000006
【図５】
2005047576.tif 000007
【図６】
2005047576.tif 000008